(57)【要約】【課題】ゴミ袋１０の開口を容易に開閉することができ、ゴミ袋１０の開口を閉じた状態では、開口を密閉することが可能となる。【解決手段】ゴミ袋保持具２０に設けられた一対の可動腕４０のそれぞれが、支持具５０によってゴミ袋１０の一部が挟持された状態で開放位置から閉鎖位置まで回動することにより、可動腕４０を回動させるという容易な操作でゴミ袋１０の開口を開閉することができる。このとき、可動腕４０と脚部３４とが一体形成されていないため、可動腕４０を回動させる際にゴミ袋保持具２０全体を安定した状態に保つことができる。また、可動腕４０が閉鎖位置に位置決めされた際には、それぞれの可動腕４０が隣接する位置に位置決めされるため、袋の開口を閉じることができる。【選択図】図１
2013086908.tif 000002
【特許請求の範囲】
【請求項１】
一対の可動部材と、
前記一対の可動部材に袋の一部をそれぞれ挟持する挟持部材と、
脚部によって支持される枠体形状の部材であって、前記一対の可動部材をそれぞれ回動可能に軸支する回動軸と、前記可動部材を上面で支持する支持部と、を有する本体部材と、
を備え、
前記一対の可動部材は、互いに当接可能な位置であって前記袋の開口を閉鎖する閉鎖位置と前記本体部材に設けられた前記支持部に当接し前記袋の開口を開放する開放位置との間を前記回動軸を回動軸として回動する、
ゴミ袋保持具。
【請求項２】
前記一対の可動部材は、前記一対の可動部材が前記閉鎖位置に位置決めされた際に前記一対の可動部材の少なくとも一部が互いに当接した状態で互いに係合する係合部及び被係合部をそれぞれ有する、
請求項１に記載のゴミ袋保持具。
【請求項３】
前記一対の可動部材は、前記一対の可動部材が閉鎖位置に位置決めされた際、前記可動部材が当接する面側であって前記挟持部材が前記袋の一部を挟持する際に前記挟持部材と前記一対の可動部材との間の位置に少なくとも一つの凹部をそれぞれ有する、
請求項１又は２に記載のゴミ袋保持具。
【請求項４】
前記一対の可動部材は、それぞれ略円弧形状であり、前記開放位置に位置決めされた際に、前記一対の可動部材によって略円形形状となる、
請求項１〜３のいずれか１項に記載のゴミ袋保持具。
【請求項５】
前記挟持部材は、前記可動部材側に向かって突出する突起部を有し、
前記一対の可動部材は、前記可動部材が前記袋を挟持する際、前記突起部の少なくとも一部が挿入される挿入穴を有する、
請求項１〜４のいずれか１項に記載のゴミ袋保持具。
【請求項６】
前記突起部は、先端部が曲面からなる、
請求項５に記載のゴミ袋保持具。
【請求項７】
前記挟持部材は、前記可動部材側に向かって突出する係合爪を有し、
前記可動部材は、前記可動部材が前記袋を挟持する際、前記係合爪と係合する係合穴を有する、
請求項１〜６のいずれか１項に記載のゴミ袋保持具。
【請求項８】
前記係合爪は、前記挟持部材の一端側に位置し、
前記挟持部材は、他端側を前記可動部材に軸支され、前記可動部材の表面の一部を覆う略コの字形状の部材であり、前記可動部材の方向に向かって回動し、前記係合爪が前記係合穴に挿入された状態で前記袋を挟持する、
請求項７に記載のゴミ袋保持具。
【請求項９】
請求項１〜８のいずれか１項に記載のゴミ袋保持具であって、
前記脚部に固定され、前記袋の底部を支持する袋支持部材と、
を備えた、
ゴミ袋保持具。
【発明の詳細な説明】
【技術分野】
【０００１】
本発明は、ゴミ袋保持具に関する。
【背景技術】
【０００２】
従来、樹脂フィルム製のレジ袋等を取り付けることで、ゴミ箱として利用することが可能な懸架装置が知られている。例えば、特許文献１には、固定部材に対向して可動部材を固定支点を中心に揺動自在に設け、固定部材と可動部材に提げ手付き袋の提げ手を取り付け、可動部材が固定部材に当接したときの位置が固定支点を通る垂直線より固定部材側にくるように固定支点を設けるとともに、可動部材を固定支点を通る垂直線に対して固定部材の反対側に倒すことができる提げ手付き袋の懸架装置が記載されている。
【先行技術文献】
【特許文献】
【０００３】
【特許文献１】特開平１０−３４６２０１号公報
【発明の概要】
【発明が解決しようとする課題】
【０００４】
しかしながら、こうした懸架装置では、袋を取り付けて使用する際には、常に袋が開口しており、例えば、袋の中に生もの等の臭気を有するものを入れた場合には、この臭気が袋の開口から流出するという課題がある。
【０００５】
本発明は、このような課題に鑑みなされたものであり、袋の開口部を開閉自在に固定することにより、袋に物を投入する際には袋の開口部を開き、袋に物を投入した後には袋の開口部を閉じることができるゴミ袋保持具を提供することを主目的とする。
【課題を解決するための手段】
【０００６】
本発明は、上述の主目的を達成するために以下の手段を採った。
【０００７】
本発明のゴミ袋保持具は、
一対の可動部材と、
前記一対の可動部材に袋の一部をそれぞれ挟持する挟持部材と、
脚部によって支持される枠体形状の部材であって、前記一対の可動部材をそれぞれ回動可能に軸支する回動軸と、前記可動部材を上面で支持する支持部と、を有する本体部材と、
を備え、
前記一対の可動部材は、互いに当接可能な位置であって前記袋の開口を閉鎖する閉鎖位置と前記本体部材に設けられた前記支持部に当接し前記袋の開口を開放する開放位置との間を前記回動軸を回動軸として回動する、
ものである。
【０００８】
このゴミ袋保持具は、一対の可動部材のそれぞれに挟持部材によって袋の端部が挟持された状態で、一対の可動部材が互いに当接可能な位置であって袋の開口を閉じる閉鎖位置から本体部材に設けられた支持部に当接し袋の開口を開く開放位置に向かって回動軸を軸として互いに遠ざかる方向に回動する。このため、可動部材が閉鎖位置に位置決めされた際には袋の開口を閉じ、可動部材が開放位置に位置決めされた際には袋の開口を開くことができる。こうすることにより、取り付けた袋の開口を自在に開閉することができるため、袋の中に物を投入する際には袋の開口を開き、袋の中に物を投入した後は、袋の開口を閉じることができる。言い換えると、袋の中に臭気を有する物を投入した場合であっても、袋の開口を閉じられない場合と比較して、袋の中から流出する臭気をより低減することができる。また、可動部材は脚部を有する本体部材に軸支されているため、可動部材を開閉移動させる際に同時に脚部も一体として移動するような公知のゴミ袋保持具と比較して、可動部材を開閉移動させる際に安定した状態を保つことができる。このため、可動部材と脚部とが一体形成されている場合と比較して、より袋の中に物を投入しやすい。
【０００９】
本発明のゴミ袋保持具において、前記一対の可動部材は、前記一対の可動部材が前記閉鎖位置に位置決めされた際に前記一対の可動部材の少なくとも一部が互いに当接した状態で互いに係合する係合部をそれぞれ有していてもよい。こうすれば、可動部材が閉鎖位置に位置決めされた際には、係合部によって一対の可動部材が互いに当接した状態で係合されるため、係合部を有していない場合と比較して、前記一対の可動部材が離れる可能性を未然に低減することができる。言い換えると、挟持部材によって挟持された袋の開口が開く可能性を未然に低減することができるため、袋の中に臭気を有する物を投入した場合であっても、袋の中から臭気が流出する可能性をより低減することができる。
【００１０】
本発明のゴミ袋保持具において、前記一対の可動部材は、前記一対の可動部材が閉鎖位置に位置決めされた際、前記可動部材が当接する面側であって前記挟持部材が前記袋の一部を挟持する際に前記挟持部材と前記一対の可動部材との間の位置に少なくとも一つの凹部をそれぞれ有していてもよい。こうすれば、袋を挟持する際に、凹部を有しない場合と比較して、より袋を挟持しやすい。特に、可動部材の全周よりも大きな開口部を有する袋を挟持する際に、可動部材に袋を配置した際の余剰部分を凹部の位置に合わせることにより、容易に袋を挟持することができ、可動部材が閉鎖位置に位置決めされた際に、開口部に隙間が生じる可能性を未然に低減することができる。
【００１１】
本発明のゴミ袋保持具において、前記一対の可動部材は、それぞれ略円弧形状であり、前記開放位置に位置決めされた際に、前記一対の可動部材によって略円形形状であってもよい。こうすれば、袋の開口部は柔軟性を有するため、袋の形状が様々なものであっても、開口部の縁に沿った位置に可動部材が位置することになるため、開口部の形と可動部材の形とが異なる場合と比較して、より袋を可動部材に取り付け易く、且つ、可動部材と袋の開口部との間に形状の違いによる隙間が生じる可能性を未然に低減することができる。このため、可動部材を閉鎖位置に位置決めした際に袋の開口に隙間が生じる可能性を未然に低減することができるため、袋の中に臭気を有する物を投入した場合であっても、袋の開口を閉鎖できない場合と比較して、袋の中から流出する臭気をより低減することができる。特に、多くの袋の開口の形状は円形であるものが多いため、本発明を提供する効果が大きい。
【００１２】
本発明のゴミ袋保持具において、前記挟持部材は、前記可動部材側に向かって突出する突起部を有し、前記可動部材は、前記可動部材が前記袋を挟持する際、前記突起部の少なくとも一部が挿入される挿入穴を有してもよい。こうすれば、袋を挟持部材で挟持した際に、突起部が挿入穴に挿入されると同時に袋の一部も挿入穴に挿入されることになるため、突起部及び挿入穴を有しない場合と比較して、袋が脱落する可能性をより低減することができる。
【００１３】
この構成を採用したゴミ袋保持具において、前記突起部は、先端部が曲面からなってもよい。こうすれば、突起部が挿入穴に挿入される際に袋と接する先端部が鋭角である場合と比較して、先端部が袋を破損する可能性をより低減することができる。このため、袋が破損して脱落する可能性を未然に低減することができる。特に、突起部の一部が袋を貫通することにより袋が破損した場合には、使用後に袋を取り外す手間がかかることになるが、袋が破損する可能性を未然に低減することにより、突起部から袋を外す労力も未然に低減することを可能としている。
【００１４】
本発明のゴミ袋保持具において、前記挟持部材は、前記可動部材側に向かって突出する係合爪を有し、前記可動部材は、前記可動部材が前記袋を挟持する際、前記係合爪と係合する係合穴を有していてもよい。こうすれば、係合爪を係合穴に係合することにより、袋を挟持部材で挟持した際、挟持部材と可動部材との係合が解除され、袋が脱落する可能性を未然に低減することができる。
【００１５】
この構成を採用したゴミ袋保持具において、前記係合爪は、前記挟持部材の一端側に位置し、前記挟持部材は、他端側を前記可動部材に軸支され、前記可動部材の表面の一部を覆う略コの字形状の断面を有する部材であり、前記可動部材の方向に向かって回動し、前記係合爪が前記係合穴に挿入された状態で前記袋を挟持してもよい。こうすれば、挟持部材の他端側を回動軸として挟持部材を回動させるという簡単な操作で、可動部材と挟持部材との間に袋を挟持することができる。また、挟持部材は可動部材の表面の一部を覆う略コの字形状の断面を有するため、袋を挟持した際に、袋の端部が可動部材の表面に沿って挟持されることになり、可動部材を閉鎖位置に位置決めした際に袋の開口に隙間が生じる可能性を未然に低減することができる。言い換えると、袋の中に臭気を有する物を投入した場合であっても、袋の中から流出する臭気をより低減することができる。
【００１６】
本発明のゴミ袋保持具は、前記脚部に固定され、前記袋の底部を支持する袋支持部材と、を備えていてもよい。こうすれば、袋の中に多くの物を投入したり、底が深い袋や大きな袋を取り付けたりした場合であっても、袋支持部材を有していない場合と比較して、袋が把持されている部分に大きな力がかかる可能性を未然に低減し、袋の破損を未然に低減することができる。加えて、袋の中に物が入った状態でゴミ袋保持具を移動させる際に、袋の中の物が振り子のように揺れて持ち運び難くなる可能性も未然に低減することができる。
【図面の簡単な説明】
【００１７】
【図１】図１は、ゴミ袋保持具２０の構成の概略を示す斜視図である。
【図２】図２は、可動腕４０の端部の構成の概略を説明するための説明図である。
【図３】図３は、可動腕４０の構成の概略を説明するための説明図であり、図３（Ａ）は可動腕４０を閉鎖位置と開放位置との間に位置し、支持具５０を開いた状態を示す斜視図であり、図３（Ｂ）は、可動腕４０を切断した断面図である。
【図４】図４は、可動腕４０の動きを説明するための説明図である。
【図５】図５は、ゴミ袋１０を可動腕４０に取り付ける方法を説明するための断面図である。
【図６】図６は、ゴミ袋保持具２０に取り付けられたゴミ袋の開閉方法を説明するための斜視図である。
【発明を実施するための形態】
【００１８】
ここで、上記簡単に説明した図面に基づいて、本発明を実施するための形態を説明するにあたり、本実施の形態の構成要素と本発明の構成要素との対応関係を明らかにする。本実施の形態のゴミ袋保持具２０が本発明のゴミ袋保持具に相当し、支持突起３８が支持部に相当し、可動腕４０が可動部材に相当し、板ばねフック６２が係合部に相当し、係合凹部６４が被係合部に相当し、凹部４８が凹部に相当し、支持具５０が挟持部材に相当し、本体枠体３２が本体部材に相当し、回動軸３６が回動軸に相当し、係止突起５２が突起部に相当し、挿入穴４４が挿入穴に相当し、係合爪５４が係合爪に相当し、係合穴４６が係合穴に相当し、袋受網７０が袋支持部材に相当する。なおゴミ袋保持具２０の動作を説明することにより本発明のゴミ袋保持具の使用方法の一例も明らかにしている。
【００１９】
次に、図１〜図３を用いて、本発明の実施の形態の一例であるゴミ袋保持具２０の構成を詳しく説明する。図１に示すように、ゴミ袋保持具２０は、略矩形形状の本体枠体３２に、ゴミ袋１０を保持する一対の可動腕４０が回動可能に取り付けられている。
【００２０】
本体枠体３２は、略矩形形状の枠体であり、対向する外側側面にそれぞれ二つずつ脚部３４を有しており、脚部３４には後述する袋受網７０を取り付けるためのフック３５がそれぞれ設けられている。また、脚部３４が取り付けられている面と同一の面（図１中の前方側及び後方側）の内側側面には、回動軸３６を介して一対の可動腕４０がそれぞれ回動可能に取り付けられている。脚部３４が取り付けられていない面（図１中の右側方側及び左側方側）の内側側面には支持突起３８（図３参照）がそれぞれ設けられており、上面で一対の可動腕４０をそれぞれ支えている。この支持突起３８の上面の位置は、本体枠体３２の上面の位置から可動腕４０の高さ分だけ低い位置に位置するため、可動腕４０が支持突起３８の上面で支持された際には、本体枠体３２の上面と可動腕４０の上面とが略同一平面上に位置することになり、ゴミ袋保持具２０の上面が略平面形状となる。このため、ゴミ袋保持具２０の上面に未使用のゴミ袋を置くなど、台としても使用することができる。
【００２１】
可動腕４０は、それぞれ略円弧形状の部材であり、可動腕４０の円弧外表面側（図１中の外側）には、軸４２により可動腕４０の端部側から中央側（図５参照）に回動するように支持具５０が取り付けられている。このため、可動腕４０にゴミ袋１０を挟持する際には、軸４２側が常にゴミ袋１０の外側方向に位置することになるため、支持具５０を回動してゴミ袋１０を挟持する際に、軸４２の回転によりゴミ袋１０の一部が巻き込まれ、ゴミ袋１０が破損する可能性を未然に低減することができる。また、可動腕４０の一方端部側には板ばねフック６２が、他方端部側には係合凹部６４が、それぞれ設けられている。この板ばねフック６２は、図２に示すように、爪部６３を有しており、爪部６３が係合凹部６４と係合することにより、可動腕４０同士を当接した状態で位置決めする。このため、可動腕４０が回動軸３６を回動中心として回動し、一対の可動腕４０が互いに当接する閉鎖位置に位置決めされた際には可動腕４０が互いに当接した状態で固定されることになる。このとき、可動腕４０の端部はそれぞれ面取り面４１によって面取り加工されているため、面取り加工がなされていない場合と比較して、一対の可動腕４０同士の間隔をより狭くすることができる。こうすることにより、可動腕４０にゴミ袋１０を挟持し、閉鎖位置に位置決めした際にゴミ袋１０の開口部をより隙間無く閉じることができる。
【００２２】
ここで、可動腕４０が支持具５０によって覆われる部分の構成について、図２を用いて更に詳しく説明する。図２は、一対の可動腕４０の端部の構成の概略を説明するための説明図であり、可動腕４０が閉鎖位置に位置決めされた状態を支持具５０を省略して表している。図２に示すように、この支持具５０によって覆われる位置であって、支持具５０の両側面に対向する面（図１中の上方側及び下方側に位置する面）には凹部４８が設けられており、可動腕４０の円弧表面側（図１中の外側）には、複数の挿入穴４４及び係合穴４６がそれぞれ設けられている。こうすることにより、可動腕４０と支持具５０との間にゴミ袋１０の開口部の一端を配置し、支持具５０を可動腕４０の方向に回動することにより、支持具５０の先端部でゴミ袋１０の開口を強固に挟持し、支持具５０の中央部では、凹部４８によって余裕を持って挟持することができる。このため、この凹部４８の位置でゴミ袋１０の開口を重ねさせることにより、様々な大きさの袋であっても、容易に取り付けることができる。
【００２３】
支持具５０は、図３に示すように、略コの字形状の断面を有する部材であり、一端側が軸４２によって可動腕４０に回動可能な状態で軸支されている。このため、支持具５０は、可動腕４０と当接する固定位置と可動腕４０から離脱した離脱位置とに位置決めすることができる。また、支持具５０の他端側には先端がかぎ爪形状の係合爪５４が設けられており、一端側と他端側との間には先端部が曲面で形成された略円錐形状の突起である係止突起５２が二つ設けられている。係止突起５２及び係合爪５４は支持具５０が回動するに伴って移動し、支持具５０が固定位置に位置決めされた際には、係止突起５２が挿入穴４４に挿入され、係合爪５４が係合穴４６と係合する。こうすることにより、支持具５０が離脱位置に位置決めされた際にはゴミ袋１０が着脱可能な状態となり、支持具５０が固定位置に位置決めされた際にはゴミ袋１０が挟持された状態となり、支持具５０を回動させるという簡単な操作で、ゴミ袋１０を挟持することができる。この係止突起５２の先端部は曲面で形成されているため、支持具５０が固定位置に位置決めされて係止突起５２の先端部がゴミ袋１０の表面を押圧する際に、先端部が尖っている場合と比較して、ゴミ袋１０を破損する可能性をより低減することができる。特に、係止突起５２の一部がゴミ袋１０を貫通することによりゴミ袋１０が破損した場合には、使用後にゴミ袋１０を取り外す手間がかかることになるが、ゴミ袋１０が破損する可能性を未然に低減することにより、係止突起５２からゴミ袋１０を外す労力も未然に低減することを可能としている。
【００２４】
袋受網７０は、底面が編み目状の部材であり、ゴミ袋保持具２０の上面よりも小さな相似形をしている。この袋受網７０には、四隅に設けられたゴム製の環状部材７２が設けられており、それぞれの環状部材７２がフック３５に取り付けられることにより、ゴミ袋保持具２０の下方側に取り付けられる。ゴミ袋保持具２０にゴミ袋１０が保持された際には、ゴミ袋１０を下方から支持することができるため（図１参照）、ゴミ袋１０に多量の物を投入した場合や、重い物を投入した場合であっても、袋受網７０を有しない場合と比較して、ゴミ袋１０が破損する可能性を未然に低減することができる。また、袋受網７０はゴム製の環状部材７２によってフック３５に取り付けられているため、ゴミ袋保持具２０を移動させる際の振動がゴムの弾性力によって吸収され、ゴミ袋１０の中に物をいれた状態であっても、容易に持ち運ぶことができる。
【００２５】
次に、こうして構成された本実施の形態のゴミ袋保持具２０の使用方法の一例について、図４〜図６を用いて更に詳しく説明する。ここで、図４は、可動腕４０の動きを説明するための説明図であり、図４（Ａ）は、可動腕４０の下面が支持突起３８の上面で支持される開放位置に位置決めされた状態を、図４（Ｂ）は、可動腕４０を開放位置から閉鎖位置に向かって回動させている中間位置を、それぞれ示している。ゴミ袋保持具２０を使用する際には、図１に示すように、ゴミ袋保持具２０にゴミ袋１０を保持してから使用するため、まずはゴミ袋保持具２０にゴミ袋１０を保持する方法について説明する。
【００２６】
ゴミ袋保持具２０は、図４（Ａ）に示すように、可動腕４０が下面側から支持突起３８によって支持された開放位置に位置決めされた状態で保管されている。このため、ゴミ袋保持具２０を使用する際には、図４（Ｂ）に示すように、可動腕４０をそれぞれ所望の角度（例えば、４５°）まで上方に回動して中間位置に位置決めし、ゴミ袋１０を可動腕４０に取り付けた後に用いる。ゴミ袋１０を取り付けた後に可動腕４０を開放すれば、可動腕４０の自重により、可動腕４０はそれぞれ回動し、開放位置（図４（Ａ）参照）に再び位置決めされることになる。このとき、ゴミ袋１０の底部は袋受網７０によって下方から支持されることになるため、ゴミ袋１０に多量の物を投入した場合や、重い物を投入した場合であっても、袋受網７０を有しない場合と比較して、ゴミ袋１０が支持具５０によって挟持されている部分に大きな力がかかり、ゴミ袋１０が破損する可能性を未然に低減することができる。また、袋受網７０はゴム製の環状部材７２によってフック３５に取り付けられているため、ゴミ袋保持具２０を移動させる際の振動がゴムの弾性力によって吸収され、ゴミ袋１０の中に物をいれた状態であっても、容易に持ち運ぶことができる。
【００２７】
ここで、支持具５０と可動腕４０とによってゴミ袋１０を挟持する方法について、図５を用いて更に詳しく説明する。ここで図５は、支持具５０がゴミ袋１０を保持する様子を説明するための断面図であり、図５（Ａ）は、支持具５０が離間位置に位置決めされている状態を、図５（Ｂ）は、支持具５０が固定位置に位置決めされている状態を、それぞれ示している。
【００２８】
まず、図５（Ａ）に示すように、可動腕４０と支持具５０との間にゴミ袋１０の端部が少なくとも挿入穴４４を覆う位置にゴミ袋１０を位置決めし、支持具５０を可動腕４０の方向に軸４２を回動軸として回動する。こうすることにより、支持具５０の表面に設けられた係止突起５２がゴミ袋１０の表面を押圧しながら挿入穴４４に挿入され、支持具５０が固定位置に位置決めされる際には、挿入穴４４に挿入された係止突起５２と挿入穴４４の壁面との間にゴミ袋１０の一部が挿入されることになる。このため、係止突起５２を有していない場合と比較して、ゴミ袋１０がゴミ袋保持具２０から脱落する可能性を未然に低減することができる。また、ゴミ袋１０の表面を押圧する係止突起５２の先端部は曲面に形成されているため、先端部が尖っている場合と比較して、ゴミ袋１０を押圧する際にゴミ袋１０が破損する可能性を未然に低減することができる。特に、係止突起５２の一部がゴミ袋１０を貫通することによりゴミ袋１０が破損した場合には、使用後にゴミ袋１０を取り外す手間がかかることになるため、ゴミ袋１０が破損する可能性を未然に低減することにより、係止突起５２からゴミ袋１０を外す労力も未然に低減することを可能としている。
【００２９】
また、支持具５０の回動にともなって、係合爪５４が係合穴４６に挿入されることになるため、係合爪５４と係合穴４６とが係合しない場合と比較して、可動腕４０から支持具５０が離脱する可能性をより低減することができる。言い換えると、可動腕４０から支持具５０が離脱することにより、ゴミ袋１０が脱落する可能性を未然に低減することができる。このように、支持具５０を回動するという簡単な操作で、ゴミ袋保持具２０にゴミ袋１０を保持することができる。
【００３０】
さて、ゴミ袋１０を可動腕４０に保持した状態で可動腕４０を自由に回動可能な状態とすると、可動腕４０の自重により互いに離れる方向に回動し、開放位置に移動する（図６（Ａ）参照）。こうすることにより、ゴミ袋１０の開口を開いた状態で保持することができるため、ゴミ袋１０の中に物を投入する度にゴミ袋１０の開口を開く手間を軽減し、ゴミ袋１０の中に物を投入する際の労力を低減することができる。
【００３１】
一方、ゴミ袋１０の開口を閉じたい場合には、可動腕４０を互いに近づく方向に回動させればよい。こうすれば、図６（Ｂ）に示すように、可動腕４０同士が隣接し、ゴミ袋１０の開口を閉じることができる。このとき、可動腕４０の両端部付近には、それぞれ板ばねフック６２と係合凹部６４が設けられており、それぞれの可動腕４０に設けられた板ばねフック６２と係合凹部６４とが係合することにより、板ばねフック６２及び係合凹部６４を有しない場合と比較して、一度閉じた可動腕４０同士が意図せず離間する可能性を未然に低減することができる。言い換えると、可動腕４０に取り付けられたゴミ袋１０の開口が意図せず開く可能性を未然に低減することができる。また、板ばねフック６２と係合凹部６４がそれぞれの可動腕４０に一つずつ、合計２組設けられているため、１組のみ設けられている場合と比較して、より強い力で係合することができる。言い換えると、１組のみ設けられている場合と比較して、より一度閉じた可動腕４０同士が意図せず離間する可能性を未然に低減し、可動腕４０に取り付けられたゴミ袋１０の開口が意図せず開く可能性を未然に低減することができる。
【００３２】
ここで、板ばねフック６２と係合凹部６４とが係合する様子について更に詳しく説明する。板ばねフック６２は、先端部から内側に向かって厚くなる爪部６３を有しており、係合凹部６４は可動腕４０の外側方向に向かって傾斜する傾斜面６５を有している。このため、可動腕４０を互いに近づけると、爪部６３が傾斜面６５の表面に沿って移動しながら開いた後、板ばねフック６２の付勢力により、内側方向に移動して板ばねフック６２と係合凹部６４とが係合する。こうすることにより、可動腕４０を互いに近づける方向に移動するという簡単な動きで、可動腕４０同士が当接する閉鎖位置に容易に位置決めすることができる。言い換えると、可動腕４０に挟持されたゴミ袋１０の開口が開く可能性を未然に低減することができる。なお、係合を解除する場合には、指等で爪部６３を可動腕４０から遠ざかる方向に移動させ、可動腕４０同士が遠ざかる方向に回動させればよい。こうすることにより、一度係合した可動腕３０同士を容易に回動可能な状態とすることができる。
【００３３】
以上詳述した本実施の形態のゴミ袋保持具２０によれば、一対の可動腕４０のそれぞれが、支持具５０によってゴミ袋１０の一部が挟持された状態で開放位置から閉鎖位置まで回動することにより、可動腕４０を回動させるという容易な操作でゴミ袋１０の開口を開閉することができる。このとき、可動腕４０は脚部３４を有する本体枠体３２に軸支されているため、可動腕４０を開閉移動させる際に同時に脚部も一体として移動するような公知のゴミ袋保持具と比較して、可動腕４０を回動させる際に安定した状態を保つことができる。言い換えると、可動腕４０と脚部３４とが一体形成されている場合と比較して、より袋の中に物を投入しやすい。
【００３４】
また、可動腕４０は、板ばねフック６２と係合凹部６４とを有しているため、可動腕４０が閉鎖位置に位置決めされた際には板ばねフック６２と係合凹部６４とが係合する。こうすることにより、可動腕４０が閉鎖位置に位置決めされた際には、可動腕４０が互いに当接した状態で係合されるため、板ばねフック６２と係合凹部６４とを有していない場合と比較して、可動腕４０同士が離れる可能性を未然に低減することができる。言い換えると、袋の中に臭気を有する物を投入した場合であっても、袋の中から臭気が流出する可能性を未然に低減することできる。
【００３５】
更に、可動腕４０には凹部４８が設けられているため、ゴミ袋１０を挟持する際に、凹部４８が設けられていない場合と比較して、より容易にゴミ袋１０を挟持することができる。特に、ゴミ袋１０の直径が二本の可動腕４０の全週よりも長い場合には、可動腕４０に挟持するためにゴミ袋１０の開口の一部を重ならせる必要があるが、凹部４８の位置で重ならせることにより、部分的に厚くなる位置を凹部４８の位置に合わせることができ、容易にゴミ袋１０を挟持することができる。
【００３６】
更にまた、可動腕４０はそれぞれ略円弧形状であり、開放位置に位置決めされた際には、それぞれの可動腕４０が略円形形状に位置決めされるため、ゴミ袋１０を可動腕４０で保持した際に、可動腕４０に沿った位置にゴミ袋１０の開口端部が位置することになり、可動腕４０が他の形状、例えば、略矩形形状等の場合と比較して、よりゴミ袋１０を取り付けやすく、且つ、ゴミ袋１０と可動腕４０との間に隙間が生じる可能性を未然に低減することができる。
【００３７】
そして、支持具５０は係止突起５２を有し、この係止突起５２が挿入穴４４に挿入されることによりゴミ袋１０の一部が挿入穴４４の内部に挿入され、係止突起５２によって保持されるため、係止突起５２を有しない場合と比較して、よりゴミ袋１０が脱落する可能性を未然に低減することができる。
【００３８】
そしてまた、係止突起５２の先端部は曲面からなるため、係止突起５２の挿入穴４４への挿入に伴ってゴミ袋１０の表面が押圧される際、係止突起５２の先端部が尖っている場合と比較して、ゴミ袋１０を破損する可能性をより低減することができる。特に、係止突起５２の一部がゴミ袋１０を貫通することによりゴミ袋１０が破損した場合には、使用後にゴミ袋１０を取り外す手間がかかることになるため、ゴミ袋１０が破損する可能性を未然に低減することにより、係止突起５２からゴミ袋１０を外す労力も未然に低減することを可能としている。
【００３９】
そして更に、支持具５０は係合爪５４を有し、支持具５０が閉鎖位置に位置決めされた際には、係合爪５４が係合穴４６に係合するため、係合爪５４を有しない場合と比較して、支持具５０が固定位置から離脱し、ゴミ袋１０が脱落する可能性をより低減することができる。
【００４０】
そして更にまた、支持具５０は、係合爪５４の他端側に設けられた軸４２によって回動し、支持具５０の表面の一部を覆う略コの字形状の部材であるため、支持具５０によってゴミ袋１０が保持された際、ゴミ袋１０の表面が可動腕４０の表面に沿って広範囲で保持されることになるため、ゴミ袋１０が脱落する可能性をより低減することができる。
【００４１】
加えて、袋受網７０が設けられているため、ゴミ袋保持具２０にゴミ袋１０が保持された際には、ゴミ袋１０を下方から支持することができ、ゴミ袋１０に多量の物を投入した場合や、重い物を投入した場合であっても、袋受網７０を有しない場合と比較して、ゴミ袋１０が破損する可能性を未然に低減することができる。また、袋受網７０はゴム製の環状部材７２によってフック３５に取り付けられているため、ゴミ袋保持具２０を移動させる際の振動がゴムの弾性力によって吸収され、ゴミ袋１０の中に物をいれた状態であっても、容易に持ち運ぶことができる。
【００４２】
なお、本発明は上述した実施形態に何ら限定されることはなく、本発明の技術的範囲に属する限り種々の態様で実施し得ることはいうまでもない。
【００４３】
例えば、上述した実施の形態では、可動腕４０に設けられた６つの支持具５０を用いてゴミ袋１０を保持するものとしたが、支持具５０を全て使う必要は無く、いずれか２つ又は４つを選択してゴミ袋１０を保持してもよい。こうすれば、６つの支持具５０を用いる場合と比較して、ゴミ袋１０を保持する際の労力をより低減することができる。特に、２つの支持具５０を用いてゴミ袋１０を保持した場合であって、ゴミ袋１０に多量の物を投入した場合や、重い物を投入した場合には、ゴミ袋１０全体がゴミ袋１０に投入された物の自重によって細長く延びてしまい、ゴミ袋１０の開口部が狭くなる可能性があるが、袋受網７０によってゴミ袋１０の底部が支持されているため、このような可能性を未然に防ぐことができる。
【００４４】
上述した実施の形態では、脚部３４にそれぞれ１つのフック３５を設けるものとしたが、フック３５は複数設けてもよい。こうすれば、フック３５の位置に応じて袋受網７０の位置（高さ）を調節することができるため、保持するゴミ袋１０の大きさや種類に応じた位置に袋受網７０を固定することができる。
【００４５】
上述した実施の形態では、支持具５０が固定位置に位置決めされた際、係合爪５４を係合穴４６に係合するものとしたが、係合爪５４及び係合穴４６は設けなくてもよい。このような場合であっても、軸５６の表面の摩擦力等により支持具５０の位置を位置決めすることにより、上述した実施の形態と同様の効果を得ることができる。
【００４６】
上述した実施の形態では、支持具５０が固定位置に位置決めされた際、係止突起５２を挿入穴４４に挿入するものとしたが、係止突起５２及び挿入穴４４は設けなくてもよい。この場合も、上述した実施の形態と同様の効果を得ることができる。
【００４７】
上述した実施の形態では、支持突起３８を設けるものとしたが、支持突起３８は無くてもよい。このような場合であっても、本体枠体３２の表面等で可動腕４０の下面を支持することにより、上述した実施の形態と同様の効果を得ることができる。
【００４８】
上述した実施の形態では、可動腕４０が軸支される回動軸３６側の端部には面取り面４１が設けられているものとしたが、面取り面４１はなくともよい。この場合も、可動腕４０の配置位置を互いに遠ざけることにより、上述した実施の形態と同様の効果を得ることができる。
【００４９】
上述した実施の形態では、支持具５０は軸４２を回動軸として回動するものとしたが、可動腕４０に着脱自在に取り付けられるものであってもよい。この場合も、上述した実施の形態と同様の効果が得られる。
【００５０】
上述した実施の形態では、可動腕４０のそれぞれに板ばねフック６２と係合凹部６４を設けるものとしたが、一方の可動腕４０に板ばねフック６２を２つ設け、他方の可動腕４０に係合凹部６４を二つ設けるものとしてもよい。この場合も上述した実施の形態と同様の効果を得ることができる。なお、板ばねフック６２と係合凹部６４をそれぞれ２つ設けるものとしたが、一つであってもよいし、３つ以上設けるものとしてもよい。いずれの場合も上述した実施の形態と同様の効果を得ることができる。
【００５１】
上述した実施の形態では、袋受網７０は中央部が網目状であり、ゴミ袋保持具２０の上面よりも小さな相似形であるものとしたが、ゴミ袋１０を保持することができるものであれば、形状はこれに限定されるものではなく、適宜選択することができる。いずれの形状であっても、上述した実施の形態と同様の効果を得ることができる。また、袋受網７０は無くてもよい。
【００５２】
上述した実施の形態では、環状部材７２はゴム製であるものとしたが、弾性力を有するものであれば、ゴムに限定されるものでは無く、例えば、ばね等であってもよい。この場合も、上述した実施の形態と同様の効果を得ることができる。また、樹脂製や金属製等、弾性力を有しない素材であってもよい。
【産業上の利用可能性】
【００５３】
上述した実施の形態で示すように、レジ袋等のゴミ袋を保持することにより、ゴミ箱として利用することができる。
【符号の説明】
【００５４】
１０…ゴミ袋、２０…ゴミ袋保持具、３２…本体枠体、３４…脚部、３５…フック、３６…回動軸、３８…支持突起、４０…可動腕、４１…面取り面、４２…軸、４４…挿入穴、４６…係合穴、４８…凹部、５０…支持具、５２…係止突起、５４…係合爪、６２…板ばねフック、６３…爪部、６４…係合凹部、６５…傾斜面、７０…袋受網、７２…環状部材。
【図１】
2013086908.tif 000003
【図２】
2013086908.tif 000004
【図３】
2013086908.tif 000005
【図４】
2013086908.tif 000006
【図５】
2013086908.tif 000007
【図６】
2013086908.tif 000008